(57)【要約】  【課題】ベースと紙押さえ部との間に紙葉類を挟持可能な構成を有する綴じ具において、紙葉類の端縁を揃え見栄えを整えるとともに、綴じ込む紙葉類の量が多い場合であっても紙押さえ部と紙葉類の端縁との間の押さえしろを十分確保して紙葉類を安定して保持することができるようにする。  【解決手段】基板たるベース本体２１、及び紙葉類に当接可能な当接面２１３ａを形成した紙当て部を有するベース２と、前記ベース本体２１との間で紙葉類を挟持可能な位置に配される紙押さえ部３と、前記紙押さえ部３を前記ベース２に接離可能に支持し紙葉類を配置する側の端縁が前記当接面２１３ａと同一平面上に配置されるアーム部４１を有するリンクメンバと４を具備することを特徴とする綴じ具を採用する。  【選択図】図４
2006095859.tif 000002
【特許請求の範囲】
【請求項１】
基板及び紙葉類に当接可能な当接面を形成した紙当て部を有するベースと、前記基板との間で紙葉類を挟持可能な位置に配される紙押さえ部と、前記紙押さえ部を前記ベースに接離可能に支持し紙葉類を配置する側の端縁が前記当接面と同一平面上に配置されるアーム部を有するリンクメンバとを具備することを特徴とする綴じ具。
【請求項２】
前記ベースが、前記基板から起立して設けたリンクメンバ支持部を有するとともに、このリンクメンバ支持部の少なくとも基端部に前記紙当て部を形成していることを特徴とする請求項１記載の綴じ具。
【請求項３】
前記リンクメンバ支持部が、前記リンクメンバのアーム部を収納可能な凹部を有するとともに、前記凹部以外の部位を前記紙当て部としていることを特徴とする請求項２記載の綴じ具。
【請求項４】
前記リンクメンバの回動端部が前記紙押さえ部を貫通するものであって、前記リンクメンバが前記紙押さえ部に収納される部分の径を、前記リンクメンバの他の部分と比較して大きくしていることを特徴とする請求項１、２又は３記載の綴じ具。
【請求項５】
前記リンクメンバの回動端部が前記紙押さえ部を貫通するものであって、前記紙押さえ部の前記リンクメンバが貫通する部位の幅寸法を他の部位の幅寸法より小さくしていることを特徴とする請求項１、２、３又は４記載の綴じ具。
【請求項６】
前記ベースが、前記基板の反綴じ側端縁から起立させて設けた起立壁と、前記基板の幅方向中間部から前記起立壁と平行に起立させて設けたリンクメンバ支持部とを有するとともに、前記起立壁及び前記リンクメンバ支持部により前記リンクメンバの基端部を枢支させているものであって、前記起立壁の外面に、前記リンクメンバの基端が突出することを防ぐ凹部を形成していることを特徴とする請求項１、２、３、４又は５記載の綴じ具。
【請求項７】
前記紙押さえ部を前記ベースに接離させる操作力を受け付ける操作部と、前記操作部の動きに応動させて前記紙押さえ部を前記ベースに接離させるための応動機構と、前記操作部を綴じ位置に係止するストッパと、前記操作部が綴じ位置に係止している際に前記紙押さえ部を前記基板側に付勢する付勢要素とをさらに有することを特徴とする請求項１、２、３、４、５又は６記載の綴じ具。
【請求項８】
一端部を前記紙押さえ部、他端部を前記操作部にそれぞれ接続してなるねじりコイルバネ部材を利用して、前記応動機構及び前記付勢要素を形成していることを特徴とする請求項７記載の綴じ具。
【請求項９】
前記ストッパが、前記ベース又は前記操作部の一方に形成した係止爪と、他方に形成した係止孔とを係合させてなるものであることを特徴とする請求項７又は８記載の綴じ具。
【請求項１０】
前記リンクメンバが、前記アーム部の両端から基端部及び回動端部がそれぞれ延伸する形状の線状部材であることを特徴とする請求項１、２、３、４、５、６、７、８又は９記載の綴じ具。
【発明の詳細な説明】
【技術分野】
【０００１】
本発明は、ベースと紙押さえ部との間に紙葉類を挟持可能な綴じ具に関する。
【背景技術】
【０００２】
従来より、ベースと、ベースとの間で紙葉類を挟持可能な位置に配される紙押さえ部と、前記紙押さえ部を前記ベースに接離可能に支持するリンクメンバと、前記紙押さえ部を前記ベースに接離させる操作力を受け付ける操作部と、前記操作部の動きに応動させて前記紙押さえ部を前記ベースに接離させるための応動機構と、前記操作部を綴じ位置に係止するストッパと、前記操作部が綴じ位置に係止している際に前記紙押さえ部を前記基板側に付勢する付勢要素とを有する綴じ具が知られている。このような綴じ具のリンクメンバとして、基端部を前記ベースに形成したリンクメンバ支持部に枢支させているとともに、回動端部を前記紙押さえ部に枢支させていて、基端部と回動端部とをアーム部を介して略最短距離で接続する構成が知られている。（例えば、特許文献１を参照。）
【特許文献１】特開２００３−２９１５７３号公報
【発明の開示】
【発明が解決しようとする課題】
【０００３】
しかして、紙葉類をリンクメンバ支持部に当接させる構成においては、綴じ込む紙葉類の量が多く、上面が前記リンクメンバの回動中心より上方に位置する場合、上部に位置する紙葉類は前記アーム部に当接し、該アーム部はリンクメンバ支持部から紙葉類側に向けて延伸するので、紙葉類は綴じ具から離間する方向にずれ、従って紙葉類が不揃いとなり見た目が損なわれる。さらに、このような構成では、紙葉類が綴じ具から離間する方向にずれることに起因して前記紙押さえ部と紙葉類の端縁との間の押さえしろが少なくなり、紙葉類を安定して保持できない不具合が発生し得る。
【０００４】
このような不具合を解消すべく、特許文献１記載の構成ではリンクメンバのアーム部から該リンクメンバの基端部と反対側に離間した位置に紙葉類の端縁を当接可能な当接面を有する突き当て片を形成しているが、このような構成においても、紙葉類をリンクメンバ支持部に当接させる構成と比較して紙葉類を綴じ具から離間する方向に位置させているので、前記紙押さえ部と紙葉類の端縁との間の押さえしろが少なくなる課題は残る。
【０００５】
本発明は、上記問題を解決すべく構成するものである。
【課題を解決するための手段】
【０００６】
すなわち本発明に係る綴じ具は、基板及び紙葉類に当接可能な当接面を形成した紙当て部を有するベースと、前記基板との間で紙葉類を挟持可能な位置に配される紙押さえ部と、前記紙押さえ部を前記ベースに接離可能に支持し紙葉類を配置する側の端縁が前記当接面と同一平面上に配置されるアーム部を有するリンクメンバとを具備することを特徴とする。
【０００７】
このようなものであれば、紙葉類の端縁は前記当接面又は前記アーム部の端縁に当接するが、これらアーム部の端縁と前記当接面とが同一平面上に位置するので、紙葉類の端縁を揃え見栄えを整えることができ、アーム部がリンクメンバ支持部から紙葉類側に向けて延伸する態様において綴じ込む紙葉類の量が多くアーム部の回動中心を越える場合に発生する紙葉類が不揃いとなる不具合を解消できるとともに、綴じ込む紙葉類の量が多い場合であっても紙葉類の当接面側の端縁が綴じ具から離間する方向にずれることを防ぐことができ、前記紙押さえ部と紙葉類の端縁との間の押さえしろを十分確保して紙葉類を安定して保持することができる。
【０００８】
少ない部品点数でかつ少ない製造工数でこのような綴じ具を実現するための態様として、前記ベースが、前記基板から起立して設けたリンクメンバ支持部を有するとともに、このリンクメンバ支持部の少なくとも基端部に前記紙当て部を形成しているものが挙げられる。
【０００９】
特に、前記リンクメンバ支持部が、前記リンクメンバのアーム部を収納可能な凹部を有するとともに、前記凹部以外の部位を前記紙当て部としているものであれば、アーム部の回動中心の高さ方向位置を越えて前記紙当て部を形成できるので、より確実に紙葉類の端縁の位置決めを行うことができるようになる。
【００１０】
前記リンクメンバの回動端部が前記紙押さえ部を貫通するものであって、前記リンクメンバが前記紙押さえ部に収納される部分の径を、前記リンクメンバの他の部分と比較して大きくしているものであれば、前記紙押さえ部の幅方向の移動を前記リンクメンバにより規制でき、前記紙押さえ部が幅方向にずれることを防ぐことができる。
【００１１】
前記リンクメンバの回動端部が前記紙押さえ部を貫通するものであって、前記紙押さえ部の前記リンクメンバが貫通する部位の幅寸法を他の部位の幅寸法より小さくしているものであれば、前記リンクメンバの移動端を前記紙押さえ部の端縁を越えないようにすることができ、従って前記リンクメンバの移動端に指等を引っかける不具合の発生を防ぐことができる。
【００１２】
前記ベースが、前記基板の反綴じ側端縁から起立させて設けた起立壁と、前記基板の幅方向中間部から前記起立壁と平行に起立させて設けたリンクメンバ支持部とを有するとともに、前記起立壁及び前記リンクメンバ支持部により前記リンクメンバの基端部を枢支させているものであって、前記起立壁の外面に、前記リンクメンバの基端が突出することを防ぐ凹部を形成しているものであれば、前記リンクメンバの基端をこの凹部に収納し、前記リンクメンバの基端に指等を引っかける不具合の発生を防ぐことができる。
【００１３】
前記紙押さえ部を前記ベースに接離させる操作力を受け付ける操作部と、前記操作部の動きに応動させて前記紙押さえ部を前記ベースに接離させるための応動機構と、前記操作部を綴じ位置に係止するストッパと、前記操作部が綴じ位置に係止している際に前記紙押さえ部を前記基板側に付勢する付勢要素とをさらに有するものであれば、前記ストッパを利用して前記操作部を綴じ位置に係止しておくと前記付勢要素が機能して前記紙押さえ部が前記基板側に付勢されるので、紙葉類を安定して保持させることができる。
【００１４】
特に、一端部を前記紙押さえ部、他端部を前記操作部にそれぞれ接続してなるねじりコイルバネ部材を利用して、前記応動機構及び前記付勢要素を形成しているものであれば、少ない部品点数により前段で述べた効果を実現できる。
【００１５】
また、前記ストッパが、前記ベース又は前記操作部の一方に形成した係止爪と、他方に形成した係止孔とを係合させてなるものであれば、簡単な構成により紙葉類を安定して保持させることができる効果が得られる。
【００１６】
前記リンクメンバが、前記アーム部の両端から基端部及び回動端部がそれぞれ延伸する形状の線状部材であれば、このようなリンクメンバを簡単に形成でき、またこのようなリンクメンバをベース及び紙押さえ部に容易に取り付けることができる。
【００１７】
なお、本発明において、「綴じ側」とは紙葉類が配される側、「反綴じ側」とは紙葉類が配される側と反対側と示す概念である。
【発明の効果】
【００１８】
本発明に係る綴じ具は、アーム部の端縁と前記当接面とが同一平面上に位置するので、従来紙葉類の端縁を揃え見栄えを整えることができ、アーム部がリンクメンバ支持部から紙葉類側に向けて延伸する態様において綴じ込む紙葉類の量が多くアーム部の回動中心を越える場合に発生する紙葉類が不揃いとなる不具合を解消できるとともに、綴じ込む紙葉類の量が多い場合であっても前記紙押さえ部と紙葉類の端縁との間の押さえしろを十分確保して紙葉類を安定して保持することができる。
【発明を実施するための最良の形態】
【００１９】
以下、本発明の一実施形態を、図面を参照して説明する。
【００２０】
本発明に係る綴じ具１は、例えば図１に示すように、書類等の紙葉類Ｐを綴じた状態で収納可能なファイルＦに適用されるものである。このファイルＦは、表紙体Ｈと、この表紙体Ｈの内面に一体的に取付けられる綴じ具１とを有する。この綴じ具１は、紙葉類を綴じる位置である綴じ位置と、紙葉類の着脱が可能な開放位置との間で変化可能である。
【００２１】
先ず、この表紙体Ｈについて簡単に説明しておくと、この表紙体Ｈは、例えば合成樹脂素材からなる一体成形品であり、背表紙Ｈ１と、背表紙Ｈ１を挟んで一対にして設けた表表紙Ｈ２及び裏表紙Ｈ３とを有するものである。この表紙体Ｈは、背表紙Ｈ１と表表紙Ｈ２との境界部分、及び背表紙Ｈ１と裏表紙Ｈ３との境界部分にそれぞれヒンジとして機能する溝部Ｍを設け、これら溝部Ｍを利用して谷折りに折畳可能に構成されている。
【００２２】
綴じ具１は、綴じ位置における全体斜視図を図２、開放位置における全体斜視図を図３、平面図を図４の（ａ）、綴じ側側面図を同図の（ｂ）、正面図を同図の（ｃ）にそれぞれ図示するように、表紙体Ｈに固定され、基板たるベース本体２１を有するベース２と、このベース本体２１との間に紙葉類Ｐを挟持可能な位置に配される紙押さえ部３と、この紙押さえ部３を前記ベース２に接離可能に支持するリンクメンバ４と、前記紙押さえ部３を前記ベース２に接離させる操作力を受け付ける操作部たるレバー５と、このレバー５を綴じ位置に係止するストッパＳと、前記ベース２に枢着され、一端部を前記紙押さえ部３に、他端部を前記レバー５にそれぞれ接続してなるねじりコイルバネ部材６とを具備するものである。
【００２３】
ベース２は、前記図２ないし図４に示すように、また、平面図を図５の（ａ）、綴じ側側面図を同図の（ｂ）に、さらに図５におけるａ−ａ断面図を図６にそれぞれ図示するように、薄板状の金属性素材を用いて成形されたものであり、表紙体Ｈの上下方向に沿って延びる基板たるベース本体２１と、このベース本体２１の短手方向の一端縁から上方に連続して起立する起立壁２２とを有する一体成形品である。ベース本体２１には、その長手方向両端部近傍に固定用孔２１１が形成され、これらの固定用孔２１１に図示しないリベットを挿入して表紙体Ｈにベース１を固定している。また、ベース本体２１の短手方向の他端部には、長手方向に沿って延びるリブ状の隆起部２１２を形成し、この隆起部２１２によって、綴じ込まれる書類Ｓに脱落させないための抵抗を付与するようになっている。さらに、このベース本体２１の長手方向両端部近傍の幅方向中央部を部分的に切り起こして起立させて前記リンクメンバ４を枢支するリンクメンバ支持部２１３、２１３を形成し、また、このベース本体２１の長手方向中央部近傍を部分的に切り起こしてねじりコイルバネ部材６を枢支するバネ支持壁２１４を形成している。前記リンクメンバ支持部２１３、２１３の上部には、前記リンクメンバ４の後述するアーム部４１を収納可能な凹部２１３ｂ、２１３ｂを形成し、この凹部２１３ｂ、２１３ｂの中心には前記リンクメンバ４の後述する基端部４２を挿通可能なリンクメンバ挿通孔２１３ｘ、２１３ｘを形成している。そして、前記リンクメンバ支持部２１３、２１３の前記凹部２１３ｂ、２１３ｂ以外の箇所を紙当て部とし、この紙当て部に紙葉類Ｐを当接可能な当接面２１３ａ、２１３ａを形成している。一方、起立壁２２には、リンクメンバ支持部２１３、２１３に形成した前記リンクメンバ挿通孔２１３ｘ、２１３ｘに対応する位置にリンクメンバ支持孔２２ｘ、２２ｘがそれぞれ形成されているとともに、このリンクメンバ支持孔２２ｘ、２２ｘ周辺の外面に、前記リンクメンバ４の基端が突出することを防ぐ凹部２２ｙ、２２ｙを形成している。
【００２４】
紙押さえ部３は、前記図２ないし図４に示すように、また、反綴じ側側面図を図７の（ａ）、平面図を同図の（ｂ）、綴じ側側面図を同図の（ｃ）に、さらに図７におけるｂ−ｂ断面図を図８にそれぞれ図示するように、例えば一枚の薄板状の金属製素材をプレス成形した一体成形品であり、紙葉類Ｐを綴じる際に紙葉類Ｐを上方から圧接するとともに、側断面視略コの字状をなす。すなわち、この紙押さえ部３は、平面視ベース２の長手方向に沿って延伸する矩形状をなす平板部３１と、この平板部３１の前記起立壁２２側の端縁から垂下する第１側壁３２と、前記平板部３１の反対側の端縁から垂下する第２側壁３３とを有する。さらに、第１側壁３２には、前記リンクメンバ４の回動端部４３が挿入される第１軸受孔３２１、及びねじりコイルバネ部材６の後述する屈曲軸６２が挿入される第２軸受孔３２２が形成されているとともに、第２側壁３３には、前記リンクメンバ４の回動端部４３が挿入される第３軸受孔３３１、及びねじりコイルバネ部材６の後述する屈曲軸６２が挿入される第４軸受孔３３２が形成されている。すなわち、前記リンクメンバ４の回動端部４３は、前記第１軸受孔３２１及び第３軸受孔３３１を順に通過してこの紙押さえ部３を貫通する。また、ねじりコイルバネ部材６の屈曲軸６２は、前記図８に想像線で示しているように、前記第２軸受孔３２２及び第４軸受孔３３２を順に通過してこの紙押さえ部３を貫通する。そして、前記第２側壁３３のこれら第３軸受孔３３１及び第４軸受孔３３２近傍の部位に、幅寸法を減じさせて凹部３３ａ、３３ｂをそれぞれ形成している。さらに、前記第４軸受孔３３２の上縁部からは、ねじりコイルバネ部材６に当接する付勢力受部部３３３を第１側壁３２側に延伸して設けている。そして、この付勢力受部３３３の上面を、前記ねじりコイルバネ部材６と面的に当接可能な付勢力受面３３３ａとしている。
【００２５】
前記リンクメンバ４は、図９の（ａ）に正面図、同図の（ｂ）に側面図をそれぞれ示すように、アーム部４１の両端から基端部４２及び回動端部４３を相反する方向に延伸させたクランク状をなす線状部材であり、前記図６に想像線で示しているように、前記基端部４２を前記リンクメンバ支持部２１３及び前記起立壁２２に枢支させているとともに、前記回動端部４３を上述したように前記紙押さえ部３に貫通させるようにしている。また、本実施形態では、前記回動端部４３のうち、前記紙押さえ部３に収納される部位の径を他の部位の径よりも大きくして大径部４３１を形成しているとともに、前記第１軸受孔３２１の一部を、前記大径部４３１が通過可能な取付口３２１ａとしている。
【００２６】
レバー５は、例えば一枚の薄板状の金属性素材からなる一体成形品である。なお、以下の説明においては、ベース２に取り付けられる一端部を取付端部とし、他端部を自由端部とする。このレバー５の取付端部の反綴じ側側面には、固定ピンＮが挿入可能な挿入孔（図示省略）を形成しているとともに、綴じ側側面の対応箇所はこの固定ピンＮを通過可能に切り欠いてある。
【００２７】
前記ストッパＳは、前記第１側面部５２から外方かつ上方に突出して設けられる係合爪５４と、レバーを前記綴じ込み位置に位置させた際にこの係合爪５４と係合可能に前記ベース２の起立壁２２に形成した前記係合孔２２ｋとにより形成され、これらを係合させることにより機能する。
【００２８】
ねじりコイルバネ部材６は、例えば１本の金属製線状体を用いて形成したものであり、略円筒状に巻いたコイル状部６１と、このコイル状部６１の一端から延び所定箇所を適宜の角度で二段階に折り曲げてなる屈曲軸６２と、コイル状部６１の他端から直線状に延長させてなる係合軸６３とにより構成されている。コイル状部６１は、その内面に固定ピンＮが貫通するように設定されていて、上述したようにベース２に枢支させるようにしている。屈曲軸６２は、前記紙押さえ部３を貫通し、この紙押さえ部３の付勢力受部３３３に当接する。そして、前記レバー５が綴じ位置に係止されている際には、この紙押さえ部３の付勢力受部３３３を下方に付勢している。すなわち、このねじりコイルバネ部材６は、請求項中の付勢要素としての機能を有する。係合軸６３は、操作部本体４１の長手寸法より若干小さい寸法を有するものであり、前記操作部４の第２側面部４３の下縁部から第１側面部４２側に延伸して設けたバネ止め部４５に当接している。そして、前記レバー５が綴じ位置に係止されている際には、前記レバー５を上方に付勢している。さらに、前記レバー５の係止が解除された状態では、前記レバー５の動きに応動させて前記紙押さえ部３を前記ベース２に接離させるための応動機構として機能する。なお、前記屈曲軸６２の端部は、前記紙押さえ部３が紙葉類に当接しているとともに係合爪４４が前記係合孔２２ｋと係合していない状態においては紙葉類に向かう側に傾斜している。また、前記屈曲軸６２は、前記紙押さえ部３の第１側壁３２よりも前記付勢力受部３３３に優先して当接するようにしている。
【００２９】
また、本実施形態では、前記起立壁２２、前記紙押さえ部３、及び前記リンクメンバ４、４からなる平行リンク機構を形成していて、前記紙押さえ部３は、この平行リンク機構を介して紙葉類に当接する位置である綴じ位置と開放位置との間を前記ベース本体２１と平行を保ちつつ移動可能である。
【００３０】
しかして本実施形態では、前記アーム部４１、４１の紙葉類Ｐを配置する側の端縁と、前記リンクメンバ支持部２１３の当接面２１３ａとを同一平面上に位置させている。
【００３１】
本実施形態に係るファイルにおいては、紙葉類の量が少ない場合は、紙葉類の端縁を前記当接面２１５ａに当接させた状態で該紙葉類を前記ベース２と前記紙押さえ部３との間に挟持するようにしている。
【００３２】
一方、紙葉類の量が多く、積み重ねた紙葉類の上面が前記当接面２１３ａの上端よりも上方に位置するような場合では、前記操作部４を上方に引き上げ、前記当接面２１３ａの上端よりも上方に位置する紙葉類の端縁を前記アーム部４１の端縁に当接させた状態で該紙葉類を前記ベース２と前記紙押さえ部３との間に挟持するようにしている。このようにして紙葉類を挟持しても、前記当接面２１３ａと前記アーム部４１の端縁とは同一平面上に位置するので、これらに当接させる紙葉類の端縁もまた同一平面上に位置し、従って紙葉類の端縁を揃え見栄えを整えつつ、前記紙押さえ部３と紙葉類の端縁との間の押さえしろを十分確保して紙葉類を安定して保持することができる。
【００３３】
また、前記ベースが、前記基板から起立して設けたリンクメンバ支持部を有するとともに、このリンクメンバ支持部の少なくとも基端部に前記紙当て部を形成している少ない部品点数でかつ少ない製造工数でこのような綴じ具を実現することができる。
【００３４】
さらに、前記リンクメンバ支持部２１３が、前記リンクメンバ４のアーム部４１を収納可能な凹部２１３ｂを有するとともに、前記凹部２１３ｂ以外の部位を前記紙当て部としているので、アーム部４１の回動中心である前記リンクメンバ挿通孔２１３ｘの高さ方向位置を越えて前記紙当て部を形成できるので、より確実に紙葉類Ｐの端縁の位置決めを行うことができるようになる。
【００３５】
前記リンクメンバ４の回動端部４３が前記紙押さえ部３を貫通し、前記リンクメンバ４が前記紙押さえ部３に収納される部分の径を、前記リンクメンバ４の他の部分と比較して大きくしているので、前記紙押さえ部３の幅方向の移動を前記リンクメンバ４により規制でき、前記紙押さえ部３が幅方向にずれることを防ぐことができる。
【００３６】
前記紙押さえ部３の前記リンクメンバ４が貫通する部位である前記第３軸受部３３１近傍の部位に、幅寸法を減じさせて凹部３３ａを形成し他の部位の幅寸法より小さくしているので、前記リンクメンバ４の回動端が前記紙押さえ部３の端縁を越えず、従って前記リンクメンバ４の回動端に指等を引っかける不具合の発生を防ぐことができる。
【００３７】
前記ベース２が、前記ベース本体２１の反綴じ側端縁から起立させて設けた起立壁２２と、前記ベース本体２１の幅方向中間部から前記起立壁２２と平行に起立させて設けたリンクメンバ支持部２１３とを有するとともに、前記起立壁２２及び前記リンクメンバ支持部２１３により前記リンクメンバ４の基端部４２を枢支させているものであって、前記起立壁２２の外面に、前記リンクメンバ４の基端が突出することを防ぐ凹部２２ｙを形成しているものであれば、前記リンクメンバ４の基端をこの凹部２２ｙに収納し、前記リンクメンバ４の基端に指等を引っかける不具合の発生を防ぐことができる。
【００３８】
前記レバー５を綴じ位置に係止するストッパＳと、前記レバー５が綴じ位置に係止している際に前記紙押さえ部３を前記ベース本体２１側に付勢する付勢要素として機能するねじりコイルバネ部材６とをさらに有するので、前記ストッパＳを利用して前記レバー５を綴じ位置に係止しておくと前記ねじりコイルバネ部材６により前記紙押さえ部３が前記基板側に付勢され、紙葉類Ｐを安定して保持させることができる。
【００３９】
さらに、前記ねじりコイルバネ部材６の屈曲軸６２を前記紙押さえ部３、係合軸６３を前記レバー５にそれぞれ接続し、前記応動機構及び前記付勢要素を形成しているので、少ない部品点数により前段で述べた効果を実現できる。
【００４０】
また、前記ストッパＳを、前記レバー５に形成した係止爪５９と、前記ベース２の起立壁２２に形成した係止孔２２ｚとを係合させてなるものにしているので、簡単な構成により紙葉類Ｐを安定して保持させることができる効果が得られる。
【００４１】
前記リンクメンバ４が、前記アーム部４１の両端から基端部４２及び回動端部４３をそれぞれ延伸させて形成している線状部材あるので、このようなリンクメンバ４を簡単に形成でき、またこのようなリンクメンバ４をベース２及び紙押さえ部３に容易に取り付けることができる。
【００４２】
なお、本発明は以上に述べた実施の形態に限られない。
【００４３】
例えば、上述した実施形態におけるリンクメンバ４に代えて、以下に述べるようなリンクメンバ４０を採用してもよい。このリンクメンバ４０を利用した綴じ具１０の平面図を図１０に示す。
【００４４】
このリンクメンバ４０は、前記図１０に示すように、板状をなし、アーム部４０１の両端から基端部４０２及び回動端部４０３をそれぞれ延伸して設けている。前記アーム部４０１の基端部４０２側の端部は、リンクメンバ支持部２１３を収納するように切り欠いていて、当接面２１３ａとアーム部４０１の綴じ側の端縁とが同一平面上に配されるようにしている。また、このリンクメンバ４０においては、アーム部４０１と基端部４０２との境界付近を屈曲させて側面視への字状に形成している。
【００４５】
また、リンクメンバ支持部をアーム部の端縁よりも反綴じ側に形成し、このリンクメンバ支持部とはべつに当接面を有する紙当て部を基板から起立させて形成するようにしてもよい。
【００４６】
さらに、リンクメンバの回動端にかしめ加工を施し、紙押さえ部と当接する位置にズレ止め部材を別途取り付け可能に形成する等、リンクメンバに大径部を設ける以外の方法によりリンクメンバのズレ止めを図るようにしてもよい。
【００４７】
その他、本発明の趣旨を損ねない範囲で種々に変形してよい。
【図面の簡単な説明】
【００４８】
【図１】本発明の一実施形態に係る綴じ具を用いたファイルを示す全体斜視図。
【図２】同実施形態に係る綴じ具を示す全体斜視図。
【図３】同実施形態に係る綴じ具を示す全体斜視図。
【図４】同実施形態に係る綴じ具を示す平面図、綴じ側側面図、及び正面図。
【図５】同実施形態に係るベースを示す平面図及び綴じ側側面図。
【図６】図５におけるａ−ａ断面を示す図。
【図７】同実施形態に係る紙押さえ部を示す反綴じ側側面図、平面図、及び綴じ側側面図。
【図８】図７におけるａ−ａ断面を示す図。
【図９】同実施形態に係るリンクメンバを示す図。
【図１０】本発明の他の実施形態に係る綴じ具を示す平面図。
【符号の説明】
【００４９】
１…綴じ具
２…ベース
２１３…リンクメンバ支持部
２１３ａ…当接面
２１３ｂ…凹部
２２…起立壁
３…紙押さえ部
３３ａ…凹部
４…リンクメンバ
４１…アーム部
４２…基端部
４３…回動端部
５…レバー（操作部）
６…ねじりコイルバネ部材（付勢要素）
【図１】
2006095859.tif 000003
【図２】
2006095859.tif 000004
【図３】
2006095859.tif 000005
【図４】
2006095859.tif 000006
【図５】
2006095859.tif 000007
【図６】
2006095859.tif 000008
【図７】
2006095859.tif 000009
【図８】
2006095859.tif 000010
【図９】
2006095859.tif 000011
【図１０】
2006095859.tif 000012